(57)【要約】【課題】使用が簡単で力を節約でき、経済的で場所の制限を受けずにスイング軌道を覚えることができるゴルフスイング練習装置を提供する。【解決手段】２つのハーフリング１１，１２からなる円のフレームリング１０、長さの伸縮可能な支持棒セット２０及び底部フレーム３０から構成される。フレームリング１０は２つのハーフリング１１、１２が中心軸１３を介して展開可能に連結されてなり、第１ハーフリング１１と底部フレーム３０間が伸縮する支持棒セット２０により連結され、第２ハーフリング１２はスリーブ１７で底部フレーム３０の前端に連結され、伸縮する支持棒セット２０の長さの調整により、使用者の体格に合わせて自由に円形のフレームリング１０の角度を調整することができる。これにより練習者はクラブをフレームリング１０の弧度に沿ってスイングさせ、スイング軌道を熟知する。【選択図】図１
0003144955.tif 000002
【実用新案登録請求の範囲】
【請求項１】
底部フレームと、
前記底部フレームに連結された支持棒セットと、
前記底部フレームと前記支持棒セットとに支持されたフレームリングと、
を含んで成るゴルフスイング練習装置であって、
前記フレームリングは、上部を形成する第１ハーフリングと、下部を形成する第２ハーフリングとから構成され、
前記第１ハーフリングの下端部と前記第２ハーフリングの上端部とにそれぞれ張出連結片が設けられ、前記張出連結片同士が中心軸により枢着され、
前記中心軸を介して、前記第１ハーフリングの下端面と前記第２ハーフリングの上端面とが当接し合って１つのリングを形成する位置と、前記第１ハーフリングの下端面と前記第２ハーフリングの上端面とが離間し、かつ前記第１ハーフリングと前記第２ハーフリングとが重合し合う折り畳み位置との範囲内で展開可能とされ、
前記第２ハーフリングの下端部に前記底部フレームに結合されるスリーブが設けられ、
前記支持棒セットは、相互に分離が可能であって、内外に入れ子式に接続された第１支持棒及び第２支持棒から構成され、外側に配置された一方の支持棒にその内側に挿入された他方の支持棒を固定するためのネジ式固定部材が設けられ、前記支持棒セットの伸縮長さを調整することができ、
前記第１支持棒の一端は、前記第１ハーフリングに第１ヒンジを介して結合され、
前記第２支持棒の一端は、前記底部フレームに第２ヒンジを介して結合され、
前記底部フレームは、中間に踏板が設けられ、前端に左右両側に向かって延伸され、かつ前記第２ハーフリングの前記スリーブに嵌合される係止端部が設けられた、
ことを特徴とするゴルフスイング練習装置。
【請求項２】
前記第１ハーフリング及び第２ハーフリングの前記各張出連結片が後方に向かって突設された、
ことを特徴とする請求項１に記載のゴルフスイング練習装置。
【請求項３】
前記第１ハーフリング及び第２ハーフリングが、それぞれ左右のクオーターリング部材から構成された、
ことを特徴とする請求項１に記載のゴルフスイング練習装置。
【請求項４】
前記左右のクオーターリング部材間がヒンジ機能を有する連動機構で連結され、前記連動機構によって前記左右のクオーターリング部材を相対させて閉じ合わせ可能に構成されている、
ことを特徴とする請求項３に記載のゴルフスイング練習装置。
【請求項５】
前記第１ハーフリングと前記第２ハーフリングとが所定の角度をなして交差した状態において、前記第１ハーフリングと前記第２ハーフリングとに取り付け可能な複数の固定部材を備えたネットカバーを含む、
ことを特徴とする請求項１に記載のゴルフスイング練習装置。
【考案の詳細な説明】
【技術分野】
【０００１】
本考案は、ゴルフプレイヤーがスイング軌道の練習を行うことができるゴルフスイング練習装置に関する。
【背景技術】
【０００２】
ゴルフは特殊な魅力を有するスポーツである。しかしながら、不正確な姿勢と動作ではゴルフというスポーツの楽しみを享受することができない。
【０００３】
ゴルフはクラブを握る姿勢のほか、最も重要なのがクラブを振る方向の安定性である。理想的なスイングは、１つの分割できない全体動作であり、体の各筋肉、各関節、そしてクラブが全て一体として融合した同期した動作であるべきであるため、スイングを始めるとき体のどの部分も単独で先に動作を開始することはない。
【０００４】
特に強靭なインパクトは、主に弧度の大きいスイングと大きな角度の肩の回転から得られるため、スイングの開始時に肩が同時に回転を始め、体の重心がクラブヘッドの運動方向に伴って移動しなければならず、体の重心が偏移したり、腕の運動と一致しなかったりすると、最良のインパクトが達せられないだけでなく、傷害を引き起こすことさえある。よい運動姿勢は体力を節約でき、同時に楽しみがある。
【考案の開示】
【考案が解決しようとする課題】
【０００５】
しかしながら、現在初心者は、正規の試合に参加するためコーチを雇い指導にお金を支払う場合を除き、ほとんどがゴルフ練習場でスイングを練習し、スイング及び飛球距離でスイングの姿勢を推し量っているが、これでは学習の効果が達せられず、時間とお金が無駄となり、また最良のスイングの楽しみも得ることはできない。
【０００６】
そこで、本考案は、これに鑑みてなされたもので、その目的は、使用が簡単で力を節約でき、経済的で場所の制限を受けずにスイング軌道を覚えることができるゴルフスイング練習装置を提供することにある。
【課題を解決するための手段】
【０００７】
請求項１に係るゴルフスイング練習装置は、底部フレームと、前記底部フレームに連結された支持棒セットと、前記底部フレームと前記支持棒セットとに支持されたフレームリングと、を含んで成るものであって、上記課題を解決するために、前記フレームリングは、上部を形成する第１ハーフリングと、下部を形成する第２ハーフリングとから構成され、前記第１ハーフリングの下端部と前記第２ハーフリングの上端部とにそれぞれ張出連結片が設けられ、前記張出連結片同士が中心軸により枢着され、前記中心軸を介して、前記第１ハーフリングの下端面と前記第２ハーフリングの上端面とが当接し合って１つのリングを形成する位置と、前記第１ハーフリングの下端面と前記第２ハーフリングの上端面とが離間し、かつ前記第１ハーフリングと前記第２ハーフリングとが重合し合う折り畳み位置との範囲内で展開可能とされ、前記第２ハーフリングの下端部に前記底部フレームに結合されるスリーブが設けられ、前記支持棒セットは、相互に分離が可能であって、内外に入れ子式に接続された第１支持棒及び第２支持棒から構成され、外側に配置された一方の支持棒にその内側に挿入された他方の支持棒を固定するためのネジ式固定部材が設けられ、前記支持棒セットの伸縮長さを調整することができ、前記第１支持棒の一端は、前記第１ハーフリングに第１ヒンジを介して結合され、前記第２支持棒の一端は、前記底部フレームに第２ヒンジを介して結合され、前記底部フレームは、中間に踏板が設けられ、前端に左右両側に向かって延伸され、かつ前記第２ハーフリングの前記スリーブに嵌合される係止端部が設けられたことを特徴とするものである。
【０００８】
請求項２に係るゴルフスイング練習装置は、請求項１に係るゴルフスイング練習装置において、前記第１ハーフリング及び第２ハーフリングの前記各張出連結片が後方に向かって突設されたことを特徴とするものである。
【０００９】
請求項３に係るゴルフスイング練習装置は、請求項１に係るゴルフスイング練習装置において、前記第１ハーフリング及び第２ハーフリングが、それぞれ左右のクオーターリング部材から構成されたことを特徴とするものである。
【００１０】
請求項４に係るゴルフスイング練習装置は、請求項３に係るゴルフスイング練習装置において、前記左右のクオーターリング部材間がヒンジ機能を有する連動機構で連結され、前記連動機構によって前記左右のクオーターリング部材を相対させて閉じ合わせ可能に構成されていることを特徴とするものである。
【００１１】
請求項５に係るゴルフスイング練習装置は、請求項１に係るゴルフスイング練習装置において、前記第１ハーフリングと前記第２ハーフリングとが所定の角度をなして交差した状態において、前記第１ハーフリングと前記第２ハーフリングとに取り付け可能な複数の固定部材を備えたネットカバーを含むことを特徴とするものである。
【考案の効果】
【００１２】
請求項１に係るゴルフスイング練習装置によれば、練習者の体に合わせてスイング軌道を調整できるフレームリングが設けられており、練習者はフレームリングの内側に立ち、クラブをフレームリングに添えてその弧度に沿って動かすと、ゴルフスイングの軌道の練習を行うことができ、ゴルフスイングにおける正確な姿勢を鍛錬、矯正及び記憶することができる。
【００１３】
支持棒セットの第１支持棒と第２支持棒とを相互に分離し、中心軸を介して第１ハーフリングと第２ハーフリングとを重合し合うように折り畳み、第２ヒンジを介して第２支持棒を内側に向かって底部フレームに閉じ合わせ、スリーブを介して底部フレームを持ち上げて第１ハーフリングを底部フレームに向かって折り畳み、続いて第１ヒンジを介して第１支持棒を底部フレームの底部に向かって畳みこむことにより、折り畳み可能であり、大きい収納空間を占有しないで収納に便利である。
【００１４】
請求項４に係るゴルフスイング練習装置によれば、連動機構を中心として、第１ハーフリング及び第２ハーフリングの左右のクオーターリング部材を内側に向かって閉じ合わせると、さらに小さく折り畳むことができる。
【００１５】
請求項５に係るゴルフスイング練習装置によれば、第１ハーフリングと前記第２ハーフリングとが所定の角度をなして交差した状態とし、複数の固定部材により第１ハーフリングと第２ハーフリングとネットカバーを取り付けると、練習者が一定距離ボールを打った後、打ったボールをネットカバーに集めて収納することができる。
【考案を実施するための最良の形態】
【００１６】
以下、図面を参照して本考案の実施の形態を説明する。図１は本考案の実施形態に係るゴルフスイング練習装置の斜視図である。図２は図１のゴルフスイング練習装置におけるフレームリング角度の調整を示す斜視図であり、図３は図１のゴルフスイング練習装置の折り畳み動作を示す側面図である。また、図４は図１のゴルフスイング練習装置の折り畳み動作を示す斜視図である。さらに、図５は図１のゴルフスイング練習装置の折り畳み完了後の状態を示す斜視図である。
【００１７】
図１に示すように、本考案の実施形態に係るゴルフスイング練習装置は、主として、底部フレーム３０と、底部フレーム３０に連結された支持棒セット２０と、底部フレーム３０と支持棒セット２０とに支持されたフレームリング１０とを含んで構成されている。
【００１８】
図１に示すように、フレームリング１０は、上部を形成する第１ハーフリング１１と、下部を形成する第２ハーフリング１２とから構成されている。また、第１ハーフリング１１は左右のクオーターリング部材１１ａ、１１ｂから構成され、同様に、第２ハーフリング１２は左右のクオーターリング部材１２ａ、１２ｂから構成されている。
【００１９】
そして、第１ハーフリング１１の左右のクオーターリング部材１１ａ、１１ｂ間がヒンジ機能を有する連動機構１１１で連結され、連動機構１１１によって左右のクオーターリング部材１１ａ、１１ｂを相対させて閉じ合わせ可能に構成されている。同様に、第２ハーフリング１２の左右のクオーターリング部材１２ａ、１２ｂ間がヒンジ機能を有する連動機構１２１で連結され、連動機構１２１によって左右のクオーターリング部材１２ａ、１２ｂを相対させて閉じ合わせ可能に構成されている。
【００２０】
第１ハーフリング１１の左右の下端部には、それぞれ後方に向けて突出する張出連結片１４が設けられ、第２ハーフリング１２の左右の上端部には、それぞれ後方に向けて突出する張出連結片１５が設けられている。そして、第１ハーフリング１１の張出連結片１４、第２ハーフリング１２の張出連結片１５同士が水平方向に向けた中心軸１３によりそれぞれ枢着されている。
【００２１】
第１ハーフリング１１と第２ハーフリング１２とは、中心軸１３を中心として、第１ハーフリング１１の左右の下端面と第２ハーフリング１２の左右の上端面とがそれぞれ当接し合って１つのリングを形成する位置と（図１参照）、第１ハーフリング１１の左右の下端面と第２ハーフリング１２の左右の上端面とがそれぞれ離間し、かつ第１ハーフリング１１と第２ハーフリング１２とが上下に重合し合う折り畳み位置（図４参照）との範囲内で展開可能とされている。
【００２２】
また、図１及び図３に示すように、第１ハーフリング１１の上端部には支持棒セット２０に対する連結用の第１ヒンジ１８が設けられている。第２ハーフリング１２の左右のクオーターリング部材１２ａ、１２ｂの下部には、それぞれ下方に向けて支持板１６が設けられ、各支持板１６の下端には、底部フレーム３０への結合用のスリーブ１７がそれぞれ設けられている。
【００２３】
支持棒セット２０は、相互に分離が可能で内外に出し入れ可能な第１支持棒２１と第２支持棒２２とで構成され、実施形態では、第１支持棒２１は第２支持棒２２内に挿入して入れ子式に接続されている。このため、第２支持棒２２に対して第１支持棒２１を出し入れすることにより、支持棒セット２０の伸縮の長さを調整可能である。また、外側に配置された第２支持棒２２の外周にはネジ式固定部材２３が差し込まれ、ネジ式固定部材２３を回転させて第１支持棒２１を締め付けることで、支持棒セット２０の伸縮の長さを固定することができる。
【００２４】
底部フレーム３０の中間には踏板３３が設けられ、踏板３３は使用者がスイング練習をするときに立つ必要がある正確な位置に設置される。底部フレーム３０の左右前端には、外側に向かって延伸され、かつ第２ハーフリング１２に設けられたスリーブ１７に挿入嵌合される係止端部３２がそれぞれ設けられている。また、底部フレーム３０の後端部の中央には、支持棒セット２０に対する連結用の第２ヒンジ３１が設けられている。
【００２５】
図１及び図３に示すように、第１支持棒２１の上端は、第１ハーフリング１１の上端部に設けられた第１ヒンジ１８を介して連結されている。また、第２支持棒２２の下端は、底部フレーム３０に設けられた第２ヒンジ３１を介して連結されている。
【００２６】
連動機構１１１、１２１は、左右のクオーターリング部材１１ａ、１１ｂと左右のクオーターリング部材１２ａ、１２ｂと相対させて相互に閉じ合わせることを許容するため、図１のような立てた形式の使用状態にあるとき、連動機構１１１、１２１と張出連結片１４、１５の支持作用でフレームリング１０全体を支えることができる。
【００２７】
以上のように構成されたゴルフスイング練習装置の使用について説明する。スイング練習をするとき、使用者は踏板３３上に立ち、クラブＹを持ってスイング動作を練習する際に、フレームリング１０に添えてその弧度に沿って動かすと、ゴルフスイングの軌道の練習を行うことができ、ゴルフスイングにおける正確な姿勢を鍛錬、矯正及び記憶することができる。
【００２８】
本考案のゴルフスイング練習装置は、異なる体格の使用者の練習に対応するため、図１及び図２の動作を示す図に示すように、支持棒セット２０の第１支持棒２１、第２支持棒２２の伸縮及びスリーブ１７と係止端部３２の組み合わせにより、フレームリング１０の底部フレーム３０に対する設定角度を適度に調整することができる。
【００２９】
以上の説明から分かるように、第１ハーフリング１１と、第２ハーフリング１２との張出連結片１４、１５を後方に向かって設け、中心軸１３で枢着することの目的は、第１ハーフリング１１と第２ハーフリング１２を前方向に合わせたとき、完全なフレームリング状を成すよう保証するためである。
【００３０】
本考案のゴルフスイング練習装置は、また、使用者がパターの練習をする練習方法も提供することができる。図６は、ネットカバーを取り付けた別の使用実施例を示すゴルフスイング練習装置の斜視図である。図１及び図６に示すように、支持棒セット２０の第１支持棒２１を第２支持棒２２の内部へと収縮させ、かつ中心軸１３を介してフレームリング１０の第１ハーフリング１１を後方に向かって倒し、第１ハーフリング１１と第２ハーフリング１２とが所定の角度をなして交差した状態にする。実施形態では、図６に示すように、第１ハーフリング１１と第２ハーフリング１２とが略９０度をなすようにする。さらにネットカバー４０を周辺に設けた固定部材４１(例：面ファスナー、紐など)で第１ハーフリング１１及び第２フレームリング１２上に固定すると、使用者がパターを打ったとき一定距離でゴルフボールをネットに集めることができる。
【００３１】
本考案のゴルフスイング練習装置は、折り畳みが簡単に行うことができ、収納する場合に広い空間を占有しないという特徴がある。即ち、中心軸１３、第１ヒンジ１８、第２ヒンジ３１及びスリーブ１７を利用した構造による折り畳み動作を、図３及び図４を同時に参照して説明する。折り畳み時には支持棒セット２０の第１支持棒２１と第２支持棒２２とを分離し、第２ヒンジ３１を介して第２支持棒２２を内側に向かって底部フレーム３０に閉じ合わせ（図３の矢印Ａ方向）、次にスリーブ１７を介して底部フレーム３０を持ち上げ（図３の矢印Ｂ方向）、中心軸１３を介して第１ハーフリング１１と第２ハーフリング１２とを重合し合うように折り畳み（図３の矢印Ｃ方向）、第１ヒンジ１８を介して第１支持棒２１を底部フレーム３０の底部に向かって折り畳む（図３の矢印Ｄ方向）。
【００３２】
そして、図４に示すように、最後に連動機構１１１、１２１を中心として、第１ハーフリング１１の左右のクオーターリング部材１１ａ及び１１ｂと、第２ハーフリング１２の左右のクオーターリング部材１２ａ及び１２ｂとを内側に向かって閉じ合わせる（図４の矢印Ｅ方向）。すると、図５に示すように、折り畳むことができる。
【００３３】
上述をまとめると、本考案のゴルフスイング練習装置は効果的にスイング軌道を覚えることができる練習ツールであり、また、折り畳みが容易で、収納に際して広い空間を占有せず、実用的且つ経済的効果を備えているものである。
【図面の簡単な説明】
【００３４】
【図１】本考案の実施形態に係るゴルフスイング練習装置の斜視図である。
【図２】図１のゴルフスイング練習装置におけるフレームリング角度の調整を示す斜視図である。
【図３】図１のゴルフスイング練習装置の折り畳み動作を示す側面図である。
【図４】図１のゴルフスイング練習装置の折り畳み動作を示す斜視図である。
【図５】図１のゴルフスイング練習装置の折り畳み完了後の状態を示す斜視図である。
【図６】ネットカバーを取り付けた別の使用実施例を示すゴルフスイング練習装置の斜視図である。
【符号の説明】
【００３５】
１０  フレームリング
１１  第１ハーフリング
１２  第２ハーフリング
１３  中心軸
１４  張出連結片
１５  張出連結片
１６  支持板
１７  スリーブ
１８  第１ヒンジ
２０  支持棒セット
２１  第１支持棒
２２  第２支持棒
２３  ネジ式固定部材
３０  底部フレーム
３１  第２ヒンジ
３２  係止端部
３３  踏板
４０  ネットカバー
４１  固定部材
Ｙ  クラブ
１１ａ  クオーターリング部材
１１ｂ  クオーターリング部材
１２ａ  クオーターリング部材
１２ｂ  クオーターリング部材
１１１  連動機構
１２１  連動機構
【図１】
0003144955.tif 000003
【図２】
0003144955.tif 000004
【図３】
0003144955.tif 000005
【図４】
0003144955.tif 000006
【図５】
0003144955.tif 000007
【図６】
0003144955.tif 000008